(57)【特許請求の範囲】
【請求項１】
受信して得た映像信号から雑音を除去する映像信号処理回路において、
映像信号をディジタル化しフレーム単位で遅延した信号を加えてフレーム間の影響が無い雑音を除去する信号処理部と、
前記信号処理部で処理されるフレーム単位の映像信号を奇数フィールド及び偶数フィールド単位に記憶するフィールドメモリと、
映像信号から抽出したカラーバースト信号の位相にロックしたクロック信号を形成するシステムクロック生成部と、
該システムクロック生成部で得られたクロック信号に基づいて水平同期信号と同一の周期の疑似水平同期信号と、垂直同期信号と同一の周期の疑似垂直同期信号とを水平同期信号と垂直同期信号に無関係に形成し、該疑似水平同期信号、疑似垂直同期信号に基づいて前記フィールドメモリへの映像信号の書き込み及び読み出しを制御するメモリコントロールとを備えることを特徴とする映像信号処理回路。
【請求項２】
前記メモリコントロールは、フレーム中の雑音領域が大きくなる場合には、前記奇数フィールド及び偶数フィールドのメモリうち一方のフィールドのメモリに記憶された信号を静止画像の表示として出力することを特徴とする、請求項１に記載の映像信号処理回路。
【発明の詳細な説明】
【０００１】
【発明の属する技術分野】
本発明は移動体に搭載されるテレビジョン受信機に関し、特に映像の雑音を抑圧するために使用されるフィールドメモリへの書き込み、読み出しのタイミングに関する。
【０００２】
【従来の技術】
上記テレビジョン受信機では表示媒体として５インチ程度のサイズの液晶ディスプレイ（ＬＣＤ）が使用されており、そしてちらつき防止のため通常飛び越走査が行われている。さらに映像の雑音を抑制するためにノイズレデューサが採用されている。このノイズレデューサでは、例えば、巡回型の構成が採用され、映像信号がフレームメモリに記憶される。フレームメモリとして二つの奇数及び偶数のフィールドの映像を記憶する第１及び第２のフィールドメモリが用いられる。
【０００３】
図９は従来の第１及び第２のフィールドメモリに映像信号を記憶するメモリコントロール部を示す図である。本図に示す如く、メモリコントロール１００は、同期分離部８により入力映像（ビデオ）信号から分離された水平同期信号（ＨＤ）及び垂直同期信号（ＶＤ）を入力して奇数フィールド、偶数フィールドを識別する識別信号（ＦＬＤ）を出力するフィールド識別回路１０１と、識別信号（ＦＬＤ）に基づいて第１及び第２のフィールドメモリへそれぞれライトイネーブル信号及びリードイネーブル信号を出力するリード／ライトイネーブル生成部１０２と、識別信号（ＦＬＤ）に基づいて第１及び第２のフィールドメモリのいずれかであってライトイネーブル信号を出力開始する前にリセット信号を出力するリセット生成部１０３を具備する。
【０００４】
図１０は図９のメモリコントロール部１００を説明するタイミングチャートである。本図に示す如く、入力映像ビデオ信号から水平同期信号（ＨＤ）、垂直同期信号（ＶＤ）が分離され、垂直同期信号（ＶＤ）によりリセット信号、フィールド識別信号（ＦＬＤ）が形成され、第１のフィールドメモリが読み出しされ同時に第２のフィールドメモリが書き込みされ、次に第１のフィールドメモリが書き込みされ同時に第２のフィールドメモリが読み出され、以上の処理が繰り返される。
【０００５】
【発明が解決しようとする課題】
しかしながら、上記メモリコントロール部１００では、移動体テレビジョン受信機のように激しく映像の乱れ（入力映像信号の劣化）が起こる場合に、同期分離部８による水平同期信号、垂直同期信号が乱れるため、第１及び第２のフィールドメモリへの書き込み／読み出しが正常に行われなくなるという問題がある。このため、ノイズレデューサの機能が果たせなくなり、映像の雑音を抑制できなくなる。
【０００６】
したがって、本発明は、上記問題点に鑑み、入力映像信号の劣化に対しても正常にフィールドメモリへの書き込み／読み出しが行え、映像の雑音の抑制が可能になる映像信号処理回路を提供する。
【０００７】
【課題を解決するための手段】
本発明は、前記問題点を解決するために、受信して得た映像信号から雑音を除去する映像信号処理回路において、映像信号をディジタル化しフレーム単位で遅延した信号を加えてフレーム間の影響が無い雑音を除去する信号処理部と、前記信号処理部で処理されるフレーム単位の映像信号を奇数フィールド及び偶数フィールド単位に記憶するフィールドメモリと、映像信号から抽出したカラーバースト信号の位相にロックしたクロック信号を形成するシステムクロック生成部と、前記システムクロック生成部で得られたクロック信号に基づいて水平同期信号と同一の周期の疑似水平同期信号と、垂直同期信号と同一の周期の疑似垂直同期信号とを水平同期信号と垂直同期信号に無関係に形成し、該疑似水平同期信号、疑似垂直同期信号に基づいて前記フィールドメモリへの映像信号の書き込み及び読み出しを制御するメモリコントロールとを備える。この手段によれば、映像信号の水平／垂直同期信号のタイミングによらず、カラーバースト信号の位相をロックして得た疑似水平／垂直同期信号のタイミングにより書き込み、読み出しが行われたフィールドメモリを用いて所望の信号処理が実現できるようになった。このため、従来のように、移動体の環境によって激しく変動する電界の影響を受けても、映像の雑音を抑制することが可能になった。
【０００８】
前記メモリコントロールは、フレーム中の雑音領域が大きくなる場合には、前記奇数フィールド及び偶数フィールドのメモリうち一方のフィールドのメモリに記憶された信号を静止画像の表示として出力する。この手段により、映像が激しく乱れても、疑似水平／垂直同期信号を用いて記憶した乱れの無い静止画像を表示できる。
【０００９】
【発明の実施の形態】
以下本発明の実施の形態について図面を参照して説明する。
図１は本発明に係る映像信号処理回路の例を示す図である。本図に示す如く、映像信号処理回路には受信信号を増幅し所望の周波数の信号を抽出し検波等の処理を行って映像（ビデオ）信号を形成するテレビジョンチューナ１が設けられる。テレビジョンチューナ１の後段には映像信号をアナログからディジタルに変換するＡ／Ｄ変換器２（Ａｎａｌｏｇ  ｔｏ  Ｄｉｇｉｔａｌ  Ｃｏｎｖｅｒｔｅｒ）を経由して、例えば、映像の雑音を抑制するテレビジョン信号処理部３が設けられる。テレビジョン信号処理部３には１／６０秒周期で奇数フィールド、偶数フィールドを記憶する第１のフィールドメモリ及び第２のフィールドメモリ４が設けられる。テレビジョン信号処理部３のメモリコントロール３Ａは第１及び第２のフィールドメモリ４の書き込み／読み出しを制御する。なお、２つのフィールドで１つのフレームが構成される。
【００１０】
テレビジョン信号処理部３の出力信号はＤ／Ａ変換器５（Ｄｉｇｉｔａｌ  ｔｏ  Ａｎａｌｏｇ  Ｃｏｎｖｅｒｔｅｒ）  によりアナログからディジタルに変換され、映像信号として出力される。
映像信号の分岐信号を入力する低域通過フィルタ（ＢＰＦ）６は３．５８ＭＨｚ（＝ｆｓｃ）の色副搬送波のカラーバースト信号を抽出し、システムクロック生成部７はカラーバースト信号に位相ロックして周波数４ｆｓｃのクロック信号を形成しＡ／Ｄ変換器２、テレビジョン信号処理３、第１及び２のフィールドメモリ４、Ｄ／Ａ変換器５にクロック信号を与える。
【００１１】
さらに、同期分離部８は映像信号の分岐信号を入力して水平／垂直同期信号を分するものであるが、水平同期信号のバックポーチにカラーバースト信号が挿入されるバーストフラグを取出してシステムクロック生成部７に出力し、これを位相ロックのために使用させる。
図２は図１のシステムクロック生成部７のブロックを示す図である。本図に示す如く、システムクロック生成部７は、フェーズロックループ（ＰＬＬ）で形成され、電圧制御発振器（ＶＣＯ）７１、と、電圧制御発振器７１からクロック信号として出力するクロック信号の周波数（４ｆｓｃ）を１／４に分周する１／４分周器７２と、１／４分周器７２の出力信号と周波数ｆｓｃのカラーバースト信号との位相を比較し比較電圧を出力する位相比較器７３と、位相比較器７３からの比較電圧に含まれる不要周波数成分を除去するための低域通過フィルタ（ＬＰＦ）７４と、低域通過フィルタ７４と電圧制御発振器７１との間のスイッチ７５とを具備する。スイッチ７５は同期分離部８の処理から得られるバーストフラグにより開閉が行われる。
【００１２】
すなわち、１水平区間の映像（ビデオ）信号において色信号復調のために水平帰線期に周波数ｆｓｃ（＝３．５８ＭＨｚ）のカラーバースト信号が９サイクルだけ設けられている。バーストフラグによりカラーバースト信号が来る時のみスイッチ７５が閉となり、位相比較器７３から電圧制御発振器７１へ比較電圧が出力され、その他の期間では比較結果がホールドされている。このようにして得られる電圧制御発振器７１の出力信号は色信号の復調用としてだけでなくクロック信号として映像信号の処理に使用される。
【００１３】
図３は図１のテレビジョン信号処理部３の例を示す図である。本図に示す如く、テレビジョン信号処理部３は、巡回型のノイズリデューサであり、映像の動きを考慮してパラメータＫを、０≦Ｋ≦１の範囲で動かす。このため映像の雑音はフレームで相関がないので減衰する。なお、映像の静止領域や雑音が大の場合にＫ→１とし雑音の低減に重きをおきぼけを犠牲にし、映像の動画領域ではＫ→０としてぼけの低減に重きをおき、雑音の低減を犠牲にすることになる。なお、テレビジョン信号処理部３は巡回型でなく非巡回型であってもよい。
【００１４】
図４は図１のメモリコントローラ３Ａと第１及び第２のフィールドメモリ４との関係を詳細に説明する図である。本図に示す如く、メモリコントローラ３Ａは第１及び第２のフィールドメモリ４にリセット信号を出力し、第１のフィールドメモリ４Ａに対して反転器２００、２０１を経由してリードイネーブル信号、ライトイネーブル信号を出力し、さらに第２のフィールドメモリ４Ｂに直接にリードイネーブル信号、ライトイネーブル信号を出力する。
【００１５】
図５はメモリコントローラ３Ａの構成例を示す図である。本図に示す如く、メモリコントローラ３Ａには周波数４ｆｓｃのクロック信号を４５５個計測したら１つのパルスを出力する４５５進カウンタ３００が設けられる。なお、色副搬送波の周波数ｆｓｃ、水平同期周波数ｆＨ  、垂直同期周波数ｆＶ  には、以下の関係がある。
【００１６】
ｆｓｃ＝４５５ｆＨ  ／２
ｆＨ  ＝５２５ｆＶ  ／２
このため、４５５進カウンタ３００の出力パルスの周波数は、
４ｆｓｃ／４５５＝２ｆＨ
となり、すなわち、水平同期信号の２倍の周波数となる。
【００１７】
１／２分周器３０１は４５５進カウンタ３００の出力信号の周波数を１／２に分周して、水平同期信号の周波数にする。
５２５進カウンタ３０２は４５５進カウンタ３００の出力信号を計測し５２５個計測したら一つのパルスを出力する。５２５進カウンタ３０２の出力パルスの周波数は、
２ｆＨ  ／５２５＝ｆＶ
となり、すなわち、垂直同期信号の周波数となる。
【００１８】
フィールド識別部３０３は、１／２分周器３０１及び５２５進カウンタ３０２の出力信号である疑似水平同期信号（ＨＤ’）及び疑似垂直同期信号（ＶＤ’）に基づいて疑似フィールド識別信号（ＦＬＤ’）を形成する。リセット生成部３０４は疑似フィールド識別信号によりリセット信号を生成し、リード／ライトイネーブル生成部３０５は疑似フィールド識別信号によりリードイネーブル信号、ライトイネーブル信号を生成する。
【００１９】
図６は図５のメモリコントローラ３Ａのコントロール信号のタイミングチャートを説明する図である。映像信号に含まれるカラーバースト信号（ｆｓｃ）に位相ロックした４逓倍のクロック信号（４ｆｓｃ）を使用して、本図に示す如く、映像信号の水平／垂直同期信号に無関係に、疑似水平同期（ＨＤ’）、疑似垂直同期（ＶＤ’）、疑似フィールド識別信号（ＦＬＤ’）が求められる。さらに、疑似フィールド識別信号（ＦＬＤ’）に基づいて、第１及び第２のフィールドメモリ４に対してリセット、書き込み、読み出しが行われる。
【００２０】
なお、以上の説明はメモリコントローラ３Ａのコントローラ信号の説明であり、表示媒体への表示では、通常の水平同期信号、垂直同期信号が用いられている。
したがって、本発明によれば、フレーム間でのデータ処理すなわち、フレーム巡回型フィルタによるノイズリダクションを行うテレビジョン信号処理部３では、映像信号の水平／垂直同期信号のタイミングによらず、カラーバスト信号の位相をロックして得た疑似水平／垂直同期信号のタイミングにより書き込み、読み出される第１及び第２のフィールドメモリ４を用いて所望の信号処理が実現できるようになった。このため、従来のように、移動体の環境によって激しく変動する電界の影響を受けても、映像の雑音を抑制することが可能になった。
【００２１】
図７はメモリコントローラ３Ａの別の構成例を示す図である。本図に示す如く、図５のメモリコントローラ３Ａの後段に、フリーズ制御信号により第１のフィールドメモリ４Ａ及び第２のフィールドメモリ４Ｂのうちどちらか一方のみを出力するようにラッチ部３０６が設けられる。
図８は図７のフラッチ部３０６の出力信号を説明するタイミングチャートである。本図に示す如く、ラッチ部３０６はフリーズ制御信号により交互に変わるリードイネーブル信号及びライトイネーブル信号を一定のフリーズ期間だけラッチしたリードイネーブル信号’及びライトイネーブル信号’を出力する。
【００２２】
このようにすることにより、映像が激しく乱れても、疑似水平／垂直同期信号を用いて得た映像信号を、静止画像として表示することが可能となる。
なお、ラッチ部３０６では、映像の雑音が大になると、テレビジョン信号処理部３では雑音を低減するためにパラメータＫ＝１にするが、パラメータＫ＝１とする映像の領域がある程度大きくなると予想される場合には、フリーズ制御信号を入力して、画面全体を静止画像とすることが可能である。
【００２３】
また、映像信号の水平／垂直同期に無関係に第１及び第２のフィールドメモリ４へ書き込み（ライト）を行うので、１つのフィールドメモリには実際には２フィールドにまたがって映像信号が記憶される。したがって、通常は画面の上から下に向けて時間が経過しているが、本発明の場合には画面の上が下よりも時間が経過している場合がある。しかしながら、表示媒体は、前述の如く、５インチ程度の液晶ディスプレイ（ＬＣＤ）が使用され、その解像度が低いので特に問題にならない。さらに、第１及び第２のフィールドメモリ４の一方だけの静止画を表示させて、静止画中には第１及び第２のフィールドメモリ４の静止画を交互に切り換えて飛び越し表示を行うことが無いようにしたので、静止画中にわずかな動画の影響も発生しないようにした。
【００２４】
【発明の効果】
以上の説明により、本発明によれば、入力映像信号の劣化に対しても正常にフィールドメモリへの書き込み、読み出しが行え、映像の雑音の抑制が可能になる。
【図面の簡単な説明】
【図１】本発明に係る映像信号処理回路の例を示す図である。
【図２】図１のシステムクロック生成部７のブロックを示す図である。
【図３】図１のテレビジョン信号処理部３の例を示す図である。
【図４】図１のメモリコントローラ３Ａと第１及び第２のフィールドメモリ４との関係を詳細に説明する図である。
【図５】メモリコントローラ３Ａの構成例を示す図である。
【図６】図５のメモリコントローラ３Ａのコントロール信号のタイミングチャートを説明する図である。
【図７】メモリコントローラ３Ａの別の構成例を示す図である。
【図８】図７のフラッチ部３０６の出力信号を説明するタイミングチャートである。
【図９】従来の第１及び第２のフィールドメモリに映像を記憶するメモリコントロール部を示す図である。
【図１０】図９のメモリコントロール部１００を説明するタイミングチャートである。
【符号の説明】
３…テレビジョン信号処理部
３Ａ…メモリコントロール
４…フィールドメモリ
７…システムクロック生成部
【図１】
0003565681.tif 000002
【図２】
0003565681.tif 000003
【図３】
0003565681.tif 000004
【図４】
0003565681.tif 000005
【図５】
0003565681.tif 000006
【図６】
0003565681.tif 000007
【図７】
0003565681.tif 000008
【図８】
0003565681.tif 000009
【図９】
0003565681.tif 000010
【図１０】
0003565681.tif 000011